(57)【要約】【課題】  被記録材の搬送方向と対向する給送方向の手差し給送経路を備えた記録装置において、手差し給送経路から手差し挿入した被記録材が所定の搬送方向へ搬送される際に、搬送中の被記録材が手差し給送経路の開閉カバーに引っ掛かってしまう虞を低減させる。【解決手段】  第１〜第４の補強リブ（符号４０８、４０９、４ｃ、４ｄ）がディスクトレイカバー４の先端部４０６の近傍に形成されている。第１〜第４の補強リブ（符号４０８、４０９、４ｃ、４ｄ）は、副走査方向Ｙへ搬送されるディスクトレイＴＲの先端に略均等に当接するように、略同一形状を有して、バランス良く配置されている。ディスクトレイＴＲの先端部は、第１〜第４の補強リブ（符号４０８、４０９、４ｃ、４ｄ）に案内されて、ディスクトレイカバー４の先端部４０６に引っ掛かることなく、ディスクトレイカバー４を開方向（符号Ｇ）へ押し続けながら副走査方向Ｙへ進行していく。【選択図】図１４
2006088620.tif 000002
【特許請求の範囲】
【請求項１】
被記録材を自動給送する自動給送装置と、
給送された被記録材を所定の搬送方向へ搬送する被記録材搬送手段と、
前記自動給送装置による被記録材の給送経路と異なる給送経路で、前記被記録材搬送手段へ被記録材を給送するための手差し給送経路と、
該手差し給送経路の入り口部を開閉可能に設けられた開閉カバーとを備え、前記手差し給送経路は、前記被記録材搬送経路の一部を包含して構成されている記録装置であって、
前記手差し給送経路は、前記被記録材搬送手段により搬送される被記録材の搬送方向出口側から搬送方向と対向する方向へ被記録材を所定の給送位置まで給送する構成を有し、
前記開閉カバーは、揺動可能に軸支され、前記被記録材搬送手段により搬送される被記録材の搬送方向へ開くように配設されており、前記被記録材搬送手段により搬送される被記録材の搬送方向の先端が前記開閉カバーに当接した際には、当該被記録材の先端が前記開閉カバーの揺動方向先端へ向けて案内され、前記開閉カバーの揺動方向先端に引っ掛かることなく前記開閉カバーの外側へ案内される如く形成された被記録材案内部を有している、ことを特徴とした記録装置。
【請求項２】
請求項１において、前記被記録材案内部は、前記開閉カバーの内側に形成された複数の補強リブによって構成されている、ことを特徴とした記録装置。
【請求項３】
請求項１又は２において、前記被記録材搬送手段により搬送される被記録材の記録面と平行かつ搬送方向と直交する方向へ往復動可能に配設され、前記被記録材搬送手段により被記録材搬送経路を搬送される被記録材の記録面に記録を実行するための記録ヘッドを搭載したキャリッジを備え、
前記開閉カバーが閉じている状態では、前記キャリッジが前記被記録材搬送経路の外側に設定された待機位置に停止している場合以外は、前記開閉カバーを開くことができないように前記開閉カバーがロックされる、ことを特徴とした記録装置。
【請求項４】
請求項３において、前記開閉カバーは、一端側を揺動軸として開閉方向へ揺動可能に前記本体カバーに支持されて配設され、
前記開閉カバーを閉じた状態では、前記開閉カバーと前記本体カバーとの境界部分が略隙間無くかつ表面が略同一面となって、前記開閉カバーのロック状態に関わらず、前記開閉カバーを直接開方向へ揺動させて開く操作ができないようになっており、
前記開閉カバーのロックが解除されている状態で、前記開閉カバーの所定位置を外側から内側へ押して離すと、前記開閉カバーの他端側と前記本体カバーとの間に、前記開閉カバーを直接開方向へ揺動させて開く操作が可能な程度の隙間が生じる開操作可能揺動位置まで前記開閉カバーが開方向へ揺動する、ことを特徴とした記録装置。
【請求項５】
請求項４において、前記開閉カバーが前記開操作可能揺動位置まで揺動している状態で、前記開閉カバーの所定位置を外側から内側へ押して離すと、前記開閉カバーが閉じた状態となる、ことを特徴とした記録装置。
【請求項６】
請求項４又は５において、前記開閉カバーは、閉じた状態で他端側が本体カバーとの境界部分の内側へ入り込んだ形状を有している、ことを特徴とした記録装置。
【請求項７】
請求項６において、前記被記録材案内部は、前記開閉カバーの他端側近傍の内側に形成されている、ことを特徴とした記録装置。
【請求項８】
請求項１〜７のいずれか１項において、前記手差し給送経路は、光記録ディスクを装着したディスクトレイを被記録材の搬送経路出口から該搬送経路を搬送方向と逆方向へ所定の給送位置まで給送する前記ディスクトレイの専用給送経路であり、給送した前記ディスクトレイに装着されている前記光記録ディスクのラベル面への記録を実行することができる構成を有している、ことを特徴とした記録装置。
【請求項９】
被噴射材を自動給送する自動給送装置と、
給送された被噴射材を所定の搬送方向へ搬送する被噴射材搬送手段と、
前記自動給送装置による被噴射材の給送経路と異なる給送経路で、前記被噴射材搬送手段へ被噴射材を給送するための手差し給送経路と、
該手差し給送経路の入り口部を開閉可能に設けられた開閉カバーとを備え、前記手差し給送経路は、前記被噴射材搬送経路の一部を包含して構成されている液体噴射装置であって、
前記手差し給送経路は、前記被噴射材搬送手段により搬送される被噴射材の搬送方向出口側から搬送方向と対向する方向へ被噴射材を所定の給送位置まで給送する構成を有し、
前記開閉カバーは、揺動可能に軸支され、前記被噴射材搬送手段により搬送される被噴射材の搬送方向へ開くように配設されており、前記被噴射材搬送手段により搬送される被噴射材の搬送方向の先端が前記開閉カバーに当接した際には、当該被噴射材の先端が前記開閉カバーの揺動方向先端へ向けて案内され、前記開閉カバーの揺動方向先端に引っ掛かることなく前記開閉カバーの外側へ案内される如く形成された被噴射材案内部を有している、ことを特徴とした液体噴射装置。
【発明の詳細な説明】
【技術分野】
【０００１】
本発明は、給送された被記録材を所定の搬送方向へ搬送する被記録材搬送手段と、被記録材搬送手段により搬送される被記録材の搬送出口等を開閉可能に設けられた開閉カバーとを備えた記録装置に関する。
【背景技術】
【０００２】
いわゆるインクジェットプリンタ等の記録装置には、被記録材積重手段に積重されている被記録材を最上位側から１つずつ記録装置の記録実行手段へ自動給送する自動給送装置が設けられているのが一般的である。このような記録装置に自動給送装置による自動給送経路とは異なる給送経路として、公知のフォトボード等の厚紙やディスクトレイを手差し挿入等して給送するための手差し給送経路を設けた記録装置が公知である。公知のディスクトレイは、ＣＤ−Ｒ等の光記録ディスクのラベル面へ記録を実行するための薄板上の部材である。光記録ディスクを装着したディスクトレイを手差し給送経路から給送し、ディスクトレイを被記録材として搬送して記録を実行することによって、ディスクトレイに装着されている光記録ディスクのラベル面への記録を実行することができる（例えば、特許文献１を参照）。
【０００３】
このような記録装置は、手差し給送経路の一部が被記録材の搬送経路を兼ねて構成されているのが一般的である。また、手差し給送経路の給送方向（ディスクトレイ等を給送する方向）は、ユーザの利便性等の観点から、被記録材の搬送方向と相反する方向となっている、つまり、被記録材の排出口側となる記録装置の前面側から給送するように構成されているのが一般的である。そのため、手差し給送経路からディスクトレイ等を給送する際には、手差し給送経路の一部を兼ねている搬送経路に一部が進出した状態で配置される排紙従動ローラ等を、給送されるディスクトレイ等から保護するために、あらかじめ搬送経路から退避させる手段が設けられているのが一般的である（例えば、特許文献１を参照）。
【０００４】
このような手差し給送経路を備えた記録装置においては、手差し給送経路から被記録材を給送する際に、何らかの特別な操作やアダプタ等の装着等を必要とする構成となっているのが一般的である。例えば、被記録材の排出口に開閉可能に設けられた排紙スタッカを閉じた状態から開く際に上方へ持ち上げつつ開くことで、開いた状態の排紙スタッカが手差し給送経路入り口への案内面を形成するように構成されている記録装置が公知である（例えば、特許文献１を参照）。或いは、所定のアダプタ等を被記録材の排出口に別途取り付けて手差し給送経路の入り口への案内面を構成するようになっている記録装置が公知である（例えば、特許文献２を参照）。
【０００５】
ところが、手差し給送経路へ被記録材を給送する際に、何らかの特別な操作やアダプタ等の装着等を必要とする構成は、ユーザにとっては操作が分かりにくく、利便性も良くないという課題があった。そのため、このような課題を解決すべく手差し給送経路の給送口に専用の開閉カバーを設け、その開閉カバーを開くだけで手差し給送経路へ被記録材を給送することが可能な状態となる構成を有する記録装置が公知となっている。ユーザにとって分かりにくい特別な操作等が不要になり、別途アダプタ等を装着する煩わしさも解消され、手差し給送経路から被記録材を給送して記録を実行する際の利便性が向上し、使い勝手の良い記録装置を実現することができる。
【０００６】
【特許文献１】特開２００４−１３０７７４号公報
【特許文献２】特開２００３−２１１７５７号公報
【発明の開示】
【発明が解決しようとする課題】
【０００７】
しかしながら、手差し給送経路の給送口に専用の開閉カバーを設けることによって、手差し給送経路から給送した被記録材へ記録を実行する際に、所定の搬送方向（手差し給送経路からの給送方向と対向する方向）へ搬送される被記録材の先端と、その開閉カバーとの干渉が問題となる。給送口に専用カバーを設けた場合、通常は記録実行中に所定の搬送方向へ搬送される被記録材の先端が排出口から排出されつつ搬送されている状態で、完全に開いた状態の開閉カバーとは干渉しないようになっている。しかし、例えば、手差し給送経路から給送した被記録材への記録実行中に開閉カバーが半開きの状態となっている場合、或いは手差し給送経路から給送した被記録材が開閉カバーと干渉する方向へ反っている場合等には、所定の搬送方向へ搬送される被記録材が開閉カバーに接触する虞がある。すると、所定の搬送方向へ搬送されるディスクトレイ等の被記録材の先端が開閉カバーの一部に引っ掛かって、被記録材搬送手段に過大な負荷が掛かってしまったり、被記録材の折れ曲がりや詰まり等が生じてしまったりする虞がある。
【０００８】
本発明は、このような状況に鑑み成されたものであり、その課題は、被記録材の搬送方向と対向する給送方向の手差し給送経路を備えた記録装置において、手差し給送経路から給送した被記録材が所定の搬送方向へ搬送される際に、搬送中の被記録材が手差し給送経路の開閉カバーに引っ掛かってしまう虞を低減させることにある。
【課題を解決するための手段】
【０００９】
上記課題を達成するため、本発明の第１の態様は、被記録材を自動給送する自動給送装置と、給送された被記録材を所定の搬送方向へ搬送する被記録材搬送手段と、前記自動給送装置による被記録材の給送経路と異なる給送経路で、前記被記録材搬送手段へ被記録材を給送するための手差し給送経路と、該手差し給送経路の入り口部を開閉可能に設けられた開閉カバーとを備え、前記手差し給送経路は、前記被記録材搬送経路の一部を包含して構成されている記録装置であって、前記手差し給送経路は、前記被記録材搬送手段により搬送される被記録材の搬送方向出口側から搬送方向と対向する方向へ被記録材を所定の給送位置まで給送する構成を有し、前記開閉カバーは、揺動可能に軸支され、前記被記録材搬送手段により搬送される被記録材の搬送方向へ開くように配設されており、前記被記録材搬送手段により搬送される被記録材の搬送方向の先端が前記開閉カバーに当接した際には、当該被記録材の先端が前記開閉カバーの揺動方向先端へ向けて案内され、前記開閉カバーの揺動方向先端に引っ掛かることなく前記開閉カバーの外側へ案内される如く形成された被記録材案内部を有している、ことを特徴とした記録装置である。
【００１０】
このように、被記録材搬送手段により搬送される被記録材の搬送方向の先端が開閉カバーの揺動方向先端へ向けて案内され、開閉カバーの揺動方向先端に引っ掛かることなく開閉カバーの外側へ案内される。剛性の低い被記録材であれば、被記録材案内部によって先端が上方へ反るように案内されつつ排出される。また、ディスクトレイやフォトボード等の剛性の高い被記録材である場合には、ディスクトレイ等の先端が開閉カバーに摺接しつつ開閉カバーを押動して開方向へ揺動させながら排出され、その際に被記録材案内部によって開閉カバーにディスクトレイ等の搬送方向の先端が引っ掛かることが防止される。  
したがって、手差し給送経路から給送した被記録材が所定の搬送方向へ搬送される際に、搬送中の被記録材が手差し給送経路の開閉カバーに引っ掛かってしまう虞を低減させることができるという作用効果が得られる。
【００１１】
本発明の第２の態様は、前述した第１の態様において、前記被記録材案内部は、前記開閉カバーの内側に形成された複数の補強リブによって構成されている、ことを特徴とした記録装置である。  
このように、被記録材案内部を補強リブによって構成することによって、開閉カバーの撓み変形等に対する補強効果も得ることができる。
【００１２】
本発明の第３の態様は、前述した第１の態様又は第２の態様において、前記被記録材搬送手段により搬送される被記録材の記録面と平行かつ搬送方向と直交する方向へ往復動可能に配設され、前記被記録材搬送手段により被記録材搬送経路を搬送される被記録材の記録面に記録を実行するための記録ヘッドを搭載したキャリッジを備え、前記開閉カバーが閉じている状態では、前記キャリッジが前記被記録材搬送経路の外側に設定された待機位置に停止している場合以外は、前記開閉カバーを開くことができないように前記開閉カバーがロックされる、ことを特徴とした記録装置である。
【００１３】
このように、キャリッジが被記録材搬送経路の外側に設定された待機位置（ホームポジション等）に停止している場合以外は、開閉カバーがロックされて開くことができない状態になる。そのため、被記録材を手差し給送経路から給送するべく開閉カバーを開く際には、開閉カバーがロックされていなければ、キャリッジが必ず被記録材搬送経路の外側にあることが保証されることになる。したがって、開閉カバーを開いて手差し給送経路から被記録材を給送して記録を実行する際に、被記録材搬送経路から退避させられる排紙従動ローラ或いはそれらを支持している部材等（排紙フレーム等）が、搬送経路上のキャリッジと干渉してぶつかってしまうことを防止することができるという作用効果が得られる。
【００１４】
本発明の第４の態様は、前述した第３の態様において、前記開閉カバーは、一端側を揺動軸として開閉方向へ揺動可能に前記本体カバーに支持されて配設され、前記開閉カバーを閉じた状態では、前記開閉カバーと前記本体カバーとの境界部分が略隙間無くかつ表面が略同一面となって、前記開閉カバーのロック状態に関わらず、前記開閉カバーを直接開方向へ揺動させて開く操作ができないようになっており、前記開閉カバーのロックが解除されている状態で、前記開閉カバーの所定位置を外側から内側へ押して離すと、前記開閉カバーの他端側と前記本体カバーとの間に、前記開閉カバーを直接開方向へ揺動させて開く操作が可能な程度の隙間が生じる開操作可能揺動位置まで前記開閉カバーが開方向へ揺動する、ことを特徴とした記録装置である。
【００１５】
このように、開閉カバーを閉じた状態では、開閉カバーと本体カバーとの境界部分が略隙間無くかつ表面が略同一面となるので、ユーザは、開閉カバーのエッジに手を掛ける等して開閉カバーを直接開方向へ開くことができない。そして、開閉カバーのロックが解除されている状態で、開閉カバーの所定位置を外側から内側へ押して離すと、開閉カバーの他端側と本体カバーとの間に、開閉カバーを直接開方向へ揺動させて開く操作が可能な程度の隙間が生じる位置まで開閉カバーが開方向へ揺動する。
【００１６】
つまり、開閉カバーは、ロックされていない状態で、かつ一定の操作（開閉カバーの所定位置を外側から内側へ押し込んで離す操作）をすることによって、初めて開く操作が可能になる（開く操作が可能になる揺動位置まで揺動する）。それによって、開閉カバーがロックされている状態であるにも関わらず、ユーザが開閉カバーを強引に開いてしまうことを防止することができる。
【００１７】
本発明の第５の態様は、前述した第４の態様において、前記開閉カバーが前記開操作可能揺動位置まで揺動している状態で、前記開閉カバーの所定位置を外側から内側へ押して離すと、前記開閉カバーが閉じた状態となる、ことを特徴とした記録装置である。
【００１８】
開閉カバーは、開操作可能揺動位置まで揺動している状態の開閉カバーの所定位置を再度外側から内側へ押し込むことによって、元の閉じた状態まで閉方向へ揺動した位置で停止して元の閉じた状態となる。つまり、開閉カバーは、ロックが解除されている状態で、所定位置を外側から内側へ押し込んで離す操作を繰り返すことによって、閉じた状態と開操作可能揺動位置まで揺動して開くことが可能な状態とが交互に切り替わるようになっている。  
このように、開いた開閉カバーを閉じる際にも開く際と同様の一定の操作（開閉カバーの所定位置を外側から内側へ押し込んで離す操作）によって、開いた開閉カバーを閉じた状態に確実に戻すことができるので、開閉カバーが僅かに開いたままの状態となること等を防止することができる。
【００１９】
本発明の第６の態様は、前述した第４の態様又は第５の態様において、前記開閉カバーは、閉じた状態で他端側が本体カバーとの境界部分の内側へ入り込んだ形状を有している、ことを特徴とした記録装置である。  
開閉カバーがロックされている状態であるにも関わらず、閉じた状態の開閉カバーと本体カバーとの隙間からユーザが開閉カバーを強引に開いてしまうことをより確実に防止することができる。
【００２０】
本発明の第７の態様は、前述した第６の態様において、前記被記録材案内部は、前記開閉カバーの他端側近傍の内側に形成されている、ことを特徴とした記録装置である。  
開閉カバーは、閉じた状態で他端側が本体カバーとの境界部分の内側へ入り込んだ形状を有しているので、開いた状態の開閉カバーの他端側に被記録材搬送手段により搬送される被記録材の先端が引っ掛かり易くなってしまう。そこで、このように、開閉カバーの他端側近傍の内側に前述した被記録材案内部を形成することによって、開いた状態の開閉カバーの他端側へ被記録材が引っ掛かってしまう虞を低減させることができる。
【００２１】
本発明の第８の態様は、前述した第１の態様〜第７の態様のいずれかにおいて、前記手差し給送経路は、光記録ディスクを装着したディスクトレイを被記録材の搬送経路出口から該搬送経路を搬送方向と逆方向へ所定の給送位置まで給送する前記ディスクトレイの専用給送経路であり、給送した前記ディスクトレイに装着されている前記光記録ディスクのラベル面への記録を実行することができる構成を有している、ことを特徴とした記録装置である。
【００２２】
本発明の第８の態様に記載の記録装置によれば、手差し給送経路が光記録ディスクを装着したディスクトレイを被記録材の搬送経路出口から搬送経路を搬送方向と逆方向へ所定の給送位置まで給送するディスクトレイの専用給送経路となっている記録装置において、前述した第１の態様〜第７の態様のいずれかに記載の発明による作用効果を得ることができる。
【００２３】
本発明の第９の態様は、被噴射材を自動給送する自動給送装置と、給送された被噴射材を所定の搬送方向へ搬送する被噴射材搬送手段と、前記自動給送装置による被噴射材の給送経路と異なる給送経路で、前記被噴射材搬送手段へ被噴射材を給送するための手差し給送経路と、該手差し給送経路の入り口部を開閉可能に設けられた開閉カバーとを備え、前記手差し給送経路は、前記被噴射材搬送経路の一部を包含して構成されている液体噴射装置であって、前記手差し給送経路は、前記被噴射材搬送手段により搬送される被噴射材の搬送方向出口側から搬送方向と対向する方向へ被噴射材を所定の給送位置まで給送する構成を有し、前記開閉カバーは、揺動可能に軸支され、前記被噴射材搬送手段により搬送される被噴射材の搬送方向へ開くように配設されており、前記被噴射材搬送手段により搬送される被噴射材の搬送方向の先端が前記開閉カバーに当接した際には、当該被噴射材の先端が前記開閉カバーの揺動方向先端へ向けて案内され、前記開閉カバーの揺動方向先端に引っ掛かることなく前記開閉カバーの外側へ案内される如く形成された被噴射材案内部を有している、ことを特徴とした液体噴射装置である。
【発明を実施するための最良の形態】
【００２４】
以下、本発明の実施の形態を図面に基づいて説明する。  
まず、本発明に係る「記録装置」としてのインクジェット式記録装置の概略構成について説明する。
【００２５】
図１は、本発明に係るインクジェット式記録装置の外観斜視図である。図２は、本発明に係るインクジェット式記録装置の本体カバーを取り外した状態の概略斜視図である。図３は、本発明に係るインクジェット式記録装置の内部構造の要部斜視図である。図４は、本発明に係るインクジェット式記録装置の内部構造の要部側断面図である。  
インクジェット式記録装置１００は、図１に示した如く本体カバー１で覆われており、本体カバー１の上面には、上方向へ開閉可能な上面カバー２が配設されている。上面カバー２を開くことによって、インクジェット式記録装置１００の内部へユーザがアクセスすることが可能となり、インクカートリッジの交換等を行うことが可能になる。本体カバー１の前面には、電源スイッチ等のスイッチ類５が配設されているほか、排紙スタッカ３並びにディスクトレイカバー４が前方へ開閉可能に配設されている。排紙スタッカ３は、記録実行時には前方に開いた状態で使用され、記録実行後の「被記録材」及び「被搬送体」としての記録紙Ｐが開いた状態の排紙スタッカ３の上に排出されて積重されるようになっている。ディスクトレイカバー４は、前方に開いた状態でディスクトレイを前方からユーザが手差し挿入するためのディスクトレイ挿入口へのアクセスが可能になる。ディスクトレイは、光記録ディスクのラベル面への記録を実行する際に使用され、光記録ディスクを装着した状態のディスクトレイをディスクトレイ挿入口の所定の挿入位置まで手差し挿入して記録を実行することによって、光記録ディスクのラベル面への記録を実行することができる。
【００２６】
インクジェット式記録装置１００の後部には、図示の如く自動給紙装置２０が配設されており、自動給紙装置２０の上部には、上方向へ開閉可能な給紙トレイカバー６が配設されている。給紙トレイカバー６は、記録実行時には開いた状態で使用され、開いた状態の給紙トレイカバー６と一体となって記録紙Ｐの支持面を形成する給紙トレイ２２に記録実行前の記録紙Ｐが積重されるようになっている。給紙トレイ２２に積重された記録紙Ｐは、給紙時に所定のタイミングで給紙ローラ２１側へ揺動するホッパ２３により給紙ローラ２１の外周面に押圧される。給紙ローラ２１の外周面に押圧された記録紙Ｐは、給紙ローラ軸２１１を回転軸として回転可能に配設されている給紙ローラ２１の駆動回転によって、搬送駆動ローラ４１の外周面と搬送従動ローラ４２の外周面との当接面へ向けて１枚ずつ自動給紙される。
【００２７】
インクジェット式記録装置１００の筐体は、メインフレーム１１、左サイドフレーム１２、右サイドフレーム１３、右サイド外フレーム１３ａ及びリアフレーム１９で主たる骨格が形成されている。左サイドフレーム１２（部材１９１を介して）、右サイドフレーム１３、及び右サイド外フレーム１３ａは、インクジェット式記録装置１００の前面側においてリアフレーム１９で連結されている。搬送駆動ローラ４１の両端は、記録紙Ｐの搬送方向（副走査方向Ｙ）に回転可能な如く左サイドフレーム１２と右サイドフレーム１３とにそれぞれ支持されている。搬送駆動ローラ４１の左端は、回転ブッシュ１７を介して左サイドフレーム１２に回転可能に支持され、搬送駆動ローラ４１の右端は、回転ブッシュ１８を介して右サイドフレーム１３に回転可能に支持されている。また、搬送駆動ローラ４１の中央近傍に形成されている支持部は、中支え部材１５によって回転可能に支持されている。中支え部材１５は、サブフレーム１４に回動可能に配設されている調整部材１６の回動位置によって、搬送駆動ローラ４１の中央近傍の支持位置を上下動させることができるようになっている。搬送駆動ローラ４１の外周面のうち記録紙Ｐが押圧されて密着される部分には、中支え部材１５によって回転可能に支持される部分を除いて高摩擦抵抗被膜が形成されている。
【００２８】
各搬送従動ローラホルダ４３には、２つの搬送従動ローラ４２が記録紙Ｐの搬送方向へ従動回転可能に支持されており、搬送従動ローラホルダ４３は、搬送駆動ローラ４１と平行に複数並べて配置され、それぞれメインフレーム１１に揺動可能に支持されている。各搬送従動ローラホルダ４３は、ばね４３１によって搬送駆動ローラ４１へ押圧付勢されており、それによって、各搬送従動ローラ４２は、略一定の押圧力で搬送駆動ローラ４１の外周面に押圧されている。また、各搬送従動ローラホルダ４３の副走査方向Ｙ下流側には、補助ローラホルダ４３Ｓがそれぞれ配設されており、補助ローラホルダ４３Ｓには、補助ローラ４２Ｓが記録紙Ｐの搬送方向へ従動回転可能に支持されている。自動給紙装置２０から給紙される記録紙Ｐは、紙案内前部材４４により搬送駆動ローラ４１の外周面へ向けて案内され、搬送駆動ローラ４１の外周面と搬送従動ローラ４２との当接面に狭持されて搬送駆動ローラ４１の高摩擦抵抗被膜面に押圧されて密着し、搬送駆動ローラ４１が副走査方向Ｙへ回転することによって、搬送駆動ローラ４１の回転量に応じた搬送量で副走査方向Ｙへ搬送される。
【００２９】
搬送駆動ローラ４１は、搬送歯車５４が回転伝達可能に一体に取り付けられており、搬送用モータ５１の駆動プーリ５２の駆動回転が無端ベルト５３を介して搬送歯車５４へ伝達されて回転する（図３）。搬送駆動ローラ４１の回転によって副走査方向Ｙへ搬送される記録紙Ｐは、紙案内後部材４５と一体に形成されているプラテン４６に裏面が摺接しながら面姿勢が規制されつつ搬送される。尚、搬送駆動ローラ４１の左端側には、搬送駆動ローラ４１の回転量を検出する「回転量検出手段」として公知のロータリエンコーダが設けられている。ロータリエンコーダは、搬送駆動ローラ４１の回転に連動して回転するロータリスケール５０（図２）と、ロータリスケール５０の外周に沿って等間隔に形成されているスリットを検出するロータリスケールセンサ５０１（図２）とを有している。
【００３０】
インクジェット式記録装置１００は、記録紙Ｐにインクを噴射して記録を行う記録ヘッド６３を記録紙Ｐに対して主走査方向Ｘに走査させるためのキャリッジ６２を備えている。キャリッジ６２は、主走査方向Ｘに往復動可能にキャリッジガイド軸６１に軸支されており、図示していないキャリッジ用モータの回転駆動力が図示していないベルト伝達機構によって伝達されて主走査方向Ｘに往復動する。キャリッジガイド軸６１は、左サイドフレーム１２と右サイド外フレーム１３ａとで両端を支持されて配設されている。キャリッジ６２には、各色のインクが充填されたインクカートリッジ（図示せず）が着脱可能に搭載され、インクカートリッジから記録ヘッド６３へ各色のインクが供給される。記録ヘッド６３のヘッド面は、プラテン４６と対向する位置で主走査方向Ｘへ往復動し、ヘッド面に多数配置されているノズルからプラテン４６上を搬送される記録紙Ｐへインクが噴射されて記録が実行される。記録ヘッド６３のヘッド面と記録紙Ｐの記録面との間隔は、プラテン４６によって規定される。また、インクジェット式記録装置１００には、キャリッジ６２の移動位置を検出するための公知のリニアエンコーダが配設されている。リニアエンコーダは、キャリッジガイド軸６１と平行に配設されたリニアスケール６４と、キャリッジ６２に搭載され、リニアスケール６４に等間隔に形成されているスリットを検出するリニアスケールセンサ（図示せず）とを有している。
【００３１】
一方、プラテン４６より副走査方向Ｙの下流側には、記録実行後の記録紙Ｐを排紙する手段として、副走査方向Ｙへ回転可能に紙案内後部材４５に支持された第１の排紙駆動ローラ軸４７及び第２の排紙駆動ローラ軸４８が配設されている。第１の排紙駆動ローラ軸４７には、図示の如く複数の第１の排紙駆動ローラ４７１が略等間隔に設けられており、第２の排紙駆動ローラ軸４８にも同様に複数の第２の排紙駆動ローラ４８１が略等間隔に設けられている。第２の排紙駆動ローラ４８１は、搬送歯車５４、中間歯車５５及び排紙歯車５６を介して搬送用モータ５１の回転駆動力が第２の排紙駆動ローラ軸４８へ伝達されて排出方向（副走査方向Ｙ）に回転する。第１の排紙駆動ローラ４７１は、第２の排紙駆動ローラ軸４８に回転伝達可能に取り付けられている歯車５７及び図示していない中間歯車を介して、第１の排紙駆動ローラ軸４７に回転伝達可能に取り付けられている歯車５８へ搬送用モータ５１の回転駆動力が伝達されて排出方向（副走査方向Ｙ）に回転する。
【００３２】
第１の排紙駆動ローラ軸４７及び第２の排紙駆動ローラ軸４８の上側には、主走査方向Ｘに長尺な排紙フレーム４９（図４）が設けられている。排紙フレーム４９には、第１の排紙駆動ローラ４７１に対応する位置に複数の第１の排紙従動ローラ４７２が従動回転可能に支持されており、第２の排紙駆動ローラ４８１に対応する位置に複数の第２の排紙従動ローラ４８２が従動回転可能に支持されている。第１の排紙従動ローラ４７２及び第２の排紙従動ローラ４８２は、周囲に複数の歯を有し、各歯の先端が記録紙Ｐの記録面に点接触するように鋭角的に尖っている歯付きローラになっており、それぞれ第１の排紙駆動ローラ４７１及び第２の排紙駆動ローラ４８１に弱い付勢力で付勢されている。記録実行後の記録紙Ｐは、第１の排紙駆動ローラ４７１と第１の排紙従動ローラ４７２との間に狭持されて、第１の排紙駆動ローラ４７１の排出方向への回転によって搬送され、さらに、第２の排紙駆動ローラ４８１と第２の排紙従動ローラ４８２との間に狭持されて、第２の排紙駆動ローラ４８１の排出方向への回転によって、開いた状態の排紙スタッカ３へと排出される。
【００３３】
このような構成を有するインクジェット式記録装置１００は、まず、記録前の白紙の記録紙Ｐが自動給紙装置２０によって自動給紙される。つづいて、自動給紙された記録前の白紙の記録紙Ｐは、搬送駆動ローラ４１の回転によって記録ヘッド６３のヘッド面と対向するプラテン４６に摺接しながら副走査方向Ｙへ所定の搬送量で搬送される動作と、プラテン４６の上で主走査方向Ｘへ往復動する記録ヘッド６３からインクが噴射される動作とが交互に繰り返し実行されて記録面への記録が実行される。そして、記録実行後の記録紙Ｐは、第１の排紙駆動ローラ４７１及び第２の排紙駆動ローラ４７２の排出方向への回転によって排紙スタッカ３へ排出される。これらの一連の記録実行動作は、図示していない記録制御装置によって、自動給紙装置２０の駆動力源としての自動給紙用モータ（図示せず）、搬送用モータ５１並びにキャリッジ駆動用モータ（図示せず）が制御されて実行される。
【００３４】
つづいて、インクジェット式記録装置１００の「手差し給送経路」について説明する。
【００３５】
図５は、インクジェット式記録装置１００の外観斜視図であり、ディスクトレイカバー４を開いた状態を示したものである。  
図６〜図９は、インクジェット式記録装置１００の要部側断面図であり、図６は、ディスクトレイカバー４を閉じた状態（閉揺動位置）、図７は、ディスクトレイカバー４を「開操作可能揺動位置」まで開方向へ揺動させた状態、図８は、ディスクトレイカバー４を「境界揺動位置」まで開いた状態、図９は、ディスクトレイカバー４を「開揺動位置」まで揺動させて完全に開いた状態をそれぞれ示したものである。  
図１０は、ディスクトレイカバー４を開いた状態のインクジェット式記録装置１００の一部（正面向かって右側部分）を拡大して示した斜視図であり、図１１は、ディスクトレイカバー４を開いた状態のインクジェット式記録装置１００の一部（正面向かって左側部分）を拡大して示した斜視図である。
【００３６】
「開閉カバー」としてのディスクトレイカバー４は、腕部４０１及び腕部４０２で本体カバー１に、軸４ａ（図６〜図９）を揺動軸として開閉揺動可能に支持されている。ディスクトレイカバー４には、開閉操作時の撓みが生じないように、長手方向に一本の補強フレーム４０５が配設されている。ディスクトレイカバー４を閉じた状態で覆われている部分には、フロントカバー８が設けられており、フロントカバー８には、ディスクトレイカバー４の開閉状態を検出するためのカバー開閉スイッチ７が所定の位置に配設されている。また、ディスクトレイカバー４より内側には、フロントカバー８の手前側に「ガイド部材」としてのディスクトレイ案内部材８１が揺動可能に支持されている。
【００３７】
ディスクトレイ案内部材８１は、ディスクトレイ案内部材８１の右凸部８１４がディスクトレイカバー４に設けられている右ガイド溝４０３に係合し（図１０）、ディスクトレイ案内部材８１の左凸部８１５がディスクトレイカバー４に設けられている左ガイド溝４０４に係合した状態で（図１１）、ディスクトレイカバー４の開閉に連動して揺動するようになっている。ディスクトレイ案内部材８１は、ディスクトレイカバー４を完全に開いた状態（図５、図９、図１０、図１１）における揺動位置で、記録紙Ｐの排紙経路へ進出して「手差し給送経路」の入り口部を構成するとともに、手差し挿入される光記録ディスクＣＤが装着されたディスクトレイＴＲを「手差し給送経路」の入り口手前で支持しつつ主走査方向Ｘの手差し挿入位置を規定して「手差し給送経路」の入り口へ案内する案内部８１１を有している。
【００３８】
尚、「手差し給送経路」へのディスクトレイＴＲ等の被記録材の給送は、本実施例に示したような手挿入によるものに特に限定されるものではなく、ディスクトレイカバー４を開いた状態で所定の位置にセットしたディスクトレイＴＲ等の被記録材が自動的に給送されるように構成しても良い。
【００３９】
インクジェット式記録装置１００の「手差し給送経路」は、自動給紙装置２０による記録紙Ｐの給紙経路と異なる給送経路であり、搬送駆動ローラ４１、第１の排紙駆動ローラ４７１及び第２の排紙駆動ローラ４８１による搬送経路（図４）へ手差し挿入によってディスクトレイＴＲを給送するために設けられている。「手差し給送経路」は、搬送経路の一部を包含して構成されており、記録実行後の記録紙Ｐの排出口（第２の排紙駆動ローラ４８１の副走査方向Ｙの下流側）が「手差し給送経路」の入り口となっている。記録実行後の記録紙Ｐの排出口（「手差し給送経路」の入り口）から搬送経路を給送経路として、搬送方向（副走査方向Ｙ）と逆方向へディスクトレイＴＲが手差し挿入される。所定の挿入位置まで挿入された状態のディスクトレイＴＲの先端は、搬送経路を通過して自動給紙装置２０による記録紙Ｐの給紙経路まで到達する。
【００４０】
そのため、搬送経路に一部が進出した状態で配置されている「被記録材排出手段」を構成する第１の排紙従動ローラ４７２及び第２の排紙従動ローラ４８２（図４）は、ディスクトレイカバー４の開動作に連動して搬送経路から退避し、ディスクトレイカバー４の閉動作に連動して搬送経路へ進出するようになっている。より具体的には、複数の第１の排紙従動ローラ４７２及び第２の排紙従動ローラ４８２を軸支している排紙フレーム４９（図４）が、ディスクトレイカバー４の開動作に連動して上記の如く移動するようになっている。それによって、搬送従動ローラ４２や第１の排紙従動ローラ４７２及び第２の排紙従動ローラ４８２等が手差し挿入されるディスクトレイＴＲから保護される。
【００４１】
尚、ディスクトレイＴＲの手差し挿入時には、ディスクトレイカバー４の開動作に応じて自動で、搬送従動ローラ４２や紙検出器（図示せず）等も搬送経路から一時的に退避するようにするのが好ましい。また、ディスクトレイカバー４の開閉動作に連動して、搬送用モータ５１（図３）等を駆動力源として動作する公知のＰＧ調節装置（図示せず）により、キャリッジガイド軸６１が上下動してキャリッジ６２に搭載されている記録ヘッド６３のヘッド面とプラテン４６との間隔が自動調節されるようになっている。
【００４２】
つづいて、図６〜図９を参照しながら、ディスクトレイカバー４の開閉機構について説明する。  
ディスクトレイカバー４は、軸４ａを揺動軸として開閉揺動可能に支持されている。ディスクトレイ案内部材８１は、軸８１２を揺動軸として揺動可能に支持されている。ディスクトレイ案内部材８１は、ディスクトレイ案内部材８１の右凸部８１４がディスクトレイカバー４の右ガイド溝４０３に係合し、同様に左凸部８１５がディスクトレイカバー４の左ガイド溝４０４に係合し（図６〜図９においては図示省略、図１１を参照）、ディスクトレイカバー４の開閉に連動して揺動する。ディスクトレイカバー４は、閉じている状態では、爪部４０７がカバー開閉スイッチ７と係合した状態で閉じている状態が保持されている（図６）。カバー開閉スイッチ７は、いわゆるオルタネイト接点構造を有し、先端を押して離す動作を繰り返すと接点回路構成（ＯＮ／ＯＦＦ）及び先端位置（進出／退避）が交互に切り替わるようになっている。  
ディスクトレイカバー４の先端部４０６は、図示の如く本体カバー１との境界部分の内側へ入り込んだ形状を有している（図６）。それによって、ディスクトレイカバー４がロックされている状態であるにも関わらず、閉じた状態のディスクトレイカバー４と本体カバー１との隙間からユーザがディスクトレイカバー４を強引に開いてしまうことをより確実に防止することができる。
【００４３】
閉じている状態のディスクトレイカバー４の所定位置（カバー開閉スイッチ７の配置に対応する部分）を外側から内側へ押し込んで（符号Ａ）離すと、カバー開閉スイッチ７の先端位置が開方向（符号Ｂで示した方向）へ変位し、カバー開閉スイッチ７と爪部４０７との係合が解除されつつ、ディスクトレイカバー４が開方向（符号Ｃで示した揺動方向）へ「開操作可能揺動位置」まで揺動する（図７）。「開操作可能揺動位置」とは、ディスクトレイカバー４の先端部４０６と本体カバー１との間に、ディスクトレイカバー４を直接開方向（符号Ｃで示した揺動方向）へ揺動させて開く操作が可能な程度の隙間が生じるディスクトレイカバー４の揺動位置である。ディスクトレイ案内部材８１の右凸部８１４は、ディスクトレイカバー４の右ガイド溝４０３に沿って符号Ｄで示した方向へ移動させられていく。それによって、ディスクトレイカバー４の開方向（符号Ｃで示した揺動方向）への揺動に連動して、ディスクトレイ案内部材８１は、符号Ｅで示した揺動方向へ揺動していく（図７）。
【００４４】
ディスクトレイカバー４は、ユーザによる開方向（符号Ｃで示した揺動方向）へ開く操作（例えば、ディスクトレイカバー４の先端部４０６に指をかけて手前側に開く操作）がされると、さらに開方向（符号Ｃで示した揺動方向）へ揺動する（図８）。ディスクトレイ案内部材８１の右凸部８１４は、ディスクトレイカバー４の右ガイド溝４０３に沿って、さらに符号Ｄで示した方向へ移動させられていく。それによって、ディスクトレイカバー４の開方向（符号Ｃで示した揺動方向）への揺動に連動して、ディスクトレイ案内部材８１は、さらに符号Ｅで示した揺動方向へ揺動していく（図８）。ディスクトレイカバー４は、「境界揺動位置」（図８に示した揺動位置）を境界として、「境界揺動位置」より閉じる方向側では、「開操作可能揺動位置」（図７に示した揺動位置）へ付勢され、「境界揺動位置」より開く方向側では、「開揺動位置」（図９に示した揺動位置）へ付勢される。
【００４５】
そして、ディスクトレイカバー４が完全に開いた状態となる「開揺動位置」（図９）まで揺動した状態で、ディスクトレイ案内部材８１を介してディスクトレイＴＲを手差し挿入可能な状態となる（図９）。また、ディスクトレイ案内部材８１は、凸部８１３を介して後述するディスクトレイカバーロック装置により揺動位置が規制される。  
尚、ディスクトレイ案内部材８１の左凸部８１５（図１１）とディスクトレイカバー４の左ガイド溝４０４（図１１）との係合状態は、上述したディスクトレイ案内部材８１の右凸部８１４とディスクトレイカバー４の右ガイド溝４０３との係合状態（図６〜図９）と同様なので説明は省略する。
【００４６】
つづいて、ディスクトレイカバー４を開いた状態で、ディスクトレイＴＲを手差し挿入する「手差し給送経路」についてさらに説明する。
【００４７】
図１２は、ディスクトレイカバー４を開いた部分を拡大して示したインクジェット式記録装置１００の斜視図である。  
ディスクトレイカバー４を「開揺動位置」まで開いた状態（図９、図１２）において、ディスクトレイ案内部材８１の案内部８１１から被記録材の搬送方向と対向する方向（符号Ｆで示した方向）へディスクトレイＴＲを手差し挿入可能な状態となる。ディスクトレイ案内部材８１の案内部８１１には、ディスクトレイＴＲの手差し挿入をガイドする右ガイド部８１８及び左ガイド部８１９が設けられている。右ガイド部８１８及び左ガイド部８１９によって、手差し挿入されるディスクトレイＴＲは、上下及び両側端の位置決めがされた状態となるので、手差し挿入方向（符号Ｆで示した方向）へディスクトレイＴＲを所定の挿入位置まで押し込む操作をするだけで、正確な給送経路で正確給送位置まで容易にディスクトレイＴＲを手差し挿入することができる。ディスクトレイカバー４の内側には、「被記録材案内部」としての第１の補強リブ４０８、第２の補強リブ４０９、第３の補強リブ４ｃ及び第４の補強リブ４ｄが図示の如く先端部４０６の近傍に形成されている（詳細は後述）。また、ディスクトレイカバー４の先端部４０６には、図示の如くフロントカバー８の形状に合わせて凹部４ｂが形成されている。
【００４８】
図１３〜図１５は、搬送駆動ローラ４１の回転によってディスクトレイＴＲが副走査方向Ｙへ搬送される状態のインクジェット式記録装置１００の要部を示した側断面図である。  
図１３は、ディスクトレイＴＲの先端がディスクトレイカバー４の内側に突き当たった状態を示したものである。  
ディスクトレイカバー４を「開揺動位置」まで開いた状態において、ディスクトレイ案内部材８１は、図示の如く案内部８１１が搬送経路（搬送駆動ローラ４１の外周面からプラテン４５を経由して第１の排紙駆動ローラ４７１及び第２の排紙駆動ローラ４８１へと「被記録材」が搬送される経路）と略同一線上となるように排紙経路へ進出した揺動位置へ揺動した状態となっている。所定の挿入位置まで手差し挿入されたディスクトレイＴＲは、ディスクトレイＴＲに装着された光記録ディスク（図示省略）のラベル面への記録が開始されると、記録紙Ｐへの記録実行時と同様に、搬送駆動ローラ４１の回転によって副走査方向Ｙへ搬送されていく。  
尚、第１の排紙従動ローラ４７２及び第２の排紙従動ローラ４８２（図示省略）は、図示していないレリース手段によって、第１の排紙駆動ローラ４７１及び第２の排紙駆動ローラ４８１から離間する位置まで退避した状態となっている。したがって、手差し挿入したディスクトレイＴＲへの記録実行時には、ディスクトレイＴＲは、搬送駆動ローラ４１と搬送従動ローラ４２との間に狭持された状態で、搬送駆動ローラ４１の回転だけで記録開始から記録終了まで搬送される。
【００４９】
搬送駆動ローラ４１の回転によってディスクトレイＴＲが副走査方向Ｙへ搬送されている際に、何らかの要因でディスクトレイカバー４が半開き状態となっていると、図示の如くディスクトレイＴＲの先端がディスクトレイカバー４の内側に突き当たってしまう（図１３）。この状態でディスクトレイＴＲが副走査方向Ｙへさらに搬送されていくと、ディスクトレイカバー４は、ディスクトレイＴＲの先端に押されて開方向（符号Ｇで示した方向）へ揺動させられていく。
【００５０】
図１４は、ディスクトレイＴＲの先端がディスクトレイカバー４の先端部４０６近傍に当接している状態を示したものである。  
ところが、前述したようにディスクトレイカバー４の先端部４０６は、図示の如く本体カバー１との境界部分の内側へ入り込んだ形状を有している（ディスクトレイカバー４の開閉機構についての説明部分を参照）。そのため、ディスクトレイＴＲの先端がディスクトレイカバー４の内側に突き当たった状態で、ディスクトレイカバー４がディスクトレイＴＲの先端に押されながら開方向（符号Ｇで示した方向）へ揺動していくと、ディスクトレイＴＲの先端がディスクトレイカバー４の先端部４０６に引っ掛かってしまう虞がある。そのような状態で、搬送駆動ローラ４１が搬送方向へさらに回転すると、搬送駆動ローラ４１と搬送従動ローラ４２とでディスクトレイＴＲを狭持している部分に過大な負荷が作用してしまうことになる。それによって、搬送駆動ローラ４１の外周面（高摩擦抵抗被膜面）が損傷を受け、搬送駆動ローラ４１による搬送精度の大幅に低下してしまう虞がある。
【００５１】
このようなことを防止するために、本発明に係るインクジェット式記録装置１００は、前述した第１の補強リブ４０８、第２の補強リブ４０９、第３の補強リブ４ｃ及び第４の補強リブ４ｄが、図示の如くディスクトレイカバー４の先端部４０６の近傍に形成されている（図１２）。第１の補強リブ４０８、第２の補強リブ４０９、第３の補強リブ４ｃ及び第４の補強リブ４ｄは、副走査方向Ｙへ搬送されるディスクトレイＴＲの先端に略均等に当接するように、略同一形状を有しているとともに図示の如くある程度の間隔をもってバランス良く配置されている（図１２）。
【００５２】
第１〜第４の補強リブ（符号４０８、４０９、４ｃ、４ｄ）は、搬送駆動ローラ４１により搬送されるディスクトレイＴＲの副走査方向Ｙの先端がディスクトレイカバー４に当接した際には、ディスクトレイＴＲの先端がディスクトレイカバー４の揺動方向先端へ向けて案内され、ディスクトレイカバー４の揺動方向先端に引っ掛かることなくディスクトレイカバー４の外側へ案内される如く形成されている。それによって、ディスクトレイＴＲの先端部は、図示の如く第１〜第４の補強リブ（符号４０８、４０９、４ｃ、４ｄ）に案内されて、ディスクトレイカバー４の先端部４０６に引っ掛かることなく、ディスクトレイカバー４を開方向へ押し続けながら、ディスクトレイカバー４を開方向へ揺動させつつ副走査方向Ｙへ進行していく。
【００５３】
図１５は、ディスクトレイカバー４がディスクトレイＴＲの先端に押されて「開揺動位置」まで揺動した状態を示したものである。  
ディスクトレイＴＲの先端がディスクトレイカバー４の先端部４０６より副走査方向Ｙの下流側へ進行し、半開き状態だったディスクトレイカバー４は、略「開揺動位置」まで揺動して開いた状態となる。  
以上、ディスクトレイＴＲを例に説明したが、フォトボード等の厚みのある剛性の高い被記録材においても同様である。また、剛性の低い厚紙等においては、その先端が第１〜第４の補強リブ（符号４０８、４０９、４ｃ、４ｄ）に案内されて、ディスクトレイカバー４を揺動させることなく、ディスクトレイカバー４の先端部４０６の外側へ搬送されていく場合もある。いずれにしても、「被記録材」がディスクトレイカバー４の先端部４０６に引っ掛かることが防止されるので、搬送駆動ローラ４１の外周面（高摩擦抵抗被膜面）が損傷を受け、搬送駆動ローラ４１による搬送精度の大幅に低下してしまうことを防止することができる。また、「被記録材案内部」を補強リブによって構成することによって、ディスクトレイカバー４の撓み変形等に対する補強効果も得ることができる。
【００５４】
このようにして、「手差し給送経路」から手差し挿入したディスクトレイＴＲが所定の搬送方向へ搬送される際に、搬送中のディスクトレイＴＲが手差し給送経路の開閉カバーに引っ掛かってしまう虞を低減させることができる。
【００５５】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００５６】
【図１】インクジェット式記録装置の外観斜視図である。
【図２】インクジェット式記録装置の本体カバーを取り外した概略斜視図である。
【図３】インクジェット式記録装置の内部構造の要部斜視図である。
【図４】インクジェット式記録装置の内部構造の要部側断面図である。
【図５】ディスクトレイカバーを開いた状態を示したものである。
【図６】ディスクトレイカバーを閉じた状態の要部側断面図である。
【図７】開操作可能揺動位置までディスクトレイカバー開いた側断面図である。
【図８】境界揺動位置までディスクトレイカバー開いた側断面図である。
【図９】開揺動位置までディスクトレイカバー開いた側断面図である。
【図１０】ディスクトレイカバーを開いた状態を拡大して示した斜視図である。
【図１１】ディスクトレイカバーを開いた状態を拡大して示した斜視図である。
【図１２】ディスクトレイカバーを開いた部分を拡大して示した斜視図である。
【図１３】ディスクトレイがディスクトレイカバーに当接している状態である。
【図１４】ディスクトレイがディスクトレイカバーに当接している状態である。
【図１５】ディスクトレイカバーが「開揺動位置」まで揺動した状態である。
【符号の説明】
【００５７】
１  本体カバー、２  上面カバー、３  排紙スタッカ、４  ディスクトレイカバー、５  スイッチ類、６  給紙トレイカバー、７  カバー開閉スイッチ、１１  メインフレーム、２０  自動給紙装置、２１  給紙ローラ、２２  給紙トレイ、２３  ホッパ、４１  搬送駆動ローラ、４２  搬送従動ローラ、４３  搬送従動ローラホルダ、４４  紙案内前部材、４５  紙案内後部材、４６  プラテン、４７  第１の排紙駆動ローラ軸、４８  第２の排紙駆動ローラ軸、５１  搬送用モータ、６１  キャリッジガイド軸、６２  キャリッジ、６３  記録ヘッド、８１  ディスクトレイ案内部材、１００  インクジェット式記録装置、２１１  給紙ローラ軸、ＨＰ  ホームポジション、ＴＲ  ディスクトレイ、４０８  第１の補強リブ、４０９  第２の補強リブ、４ｃ  第３の補強リブ、４ｄ  第４の補強リブ
【図１】
2006088620.tif 000003
【図２】
2006088620.tif 000004
【図３】
2006088620.tif 000005
【図４】
2006088620.tif 000006
【図５】
2006088620.tif 000007
【図６】
2006088620.tif 000008
【図７】
2006088620.tif 000009
【図８】
2006088620.tif 000010
【図９】
2006088620.tif 000011
【図１０】
2006088620.tif 000012
【図１１】
2006088620.tif 000013
【図１２】
2006088620.tif 000014
【図１３】
2006088620.tif 000015
【図１４】
2006088620.tif 000016
【図１５】
2006088620.tif 000017